(57)【特許請求の範囲】
【請求項１】
片引戸本体を開閉自在に支持する枠体が、上枠と下枠と戸先側縦枠と戸尻側縦枠と両縦枠の中間に位置する縦骨とを備えた浴室用片引戸において、
前記下枠は、見込み方向において、前記戸先側縦枠および前記縦骨間に配設した浴室側下枠部と、前記戸先側縦枠および前記戸尻側縦枠間に配設され前記片引戸本体の開閉を案内する脱衣室側下枠部とを有し、
前記縦骨は、前記浴室側下枠部および前記脱衣室側下枠部に対し縦通しで設けられ、且つ前記浴室側下枠部および前記脱衣室側下枠部を支持していることを特徴とする浴室用片引戸。
【請求項２】
前記浴室側下枠部は、その小口を前記縦骨の下端部側面に突き当てた状態で、当該縦骨側から螺合した取付ねじにより当該縦骨に支持され、且つ前記脱衣室側下枠部は、その長手方向の中間部を前記縦骨の下端部正面に当接した状態で、当該縦骨側から螺合した取付ねじにより当該縦骨に支持されており、
前記浴室側下枠部の小口と前記縦骨の下端部側面との間、および前記脱衣室側下枠部の中間部と前記縦骨の下端部正面との間には、それぞれシール部材が介設されていることを特徴とする請求項１に記載の浴室用片引戸。
【請求項３】
前記下枠の直下には、当該下枠の排水が流入する排水溝が配設されていることを特徴とする請求項１または２に記載の浴室用片引戸。
【請求項４】
前記浴室側下枠部は、下枠部本体と、当該下枠部本体および前記脱衣室側下枠部の上端部間に着脱自在に掛け渡した足着きプレートとから成ることを特徴とする請求項３に記載の浴室用片引戸。
【請求項５】
前記浴室側下枠部は、排水溝を形成した下枠部本体と、当該下枠部本体および前記脱衣室側下枠部の上端部間に着脱自在に掛け渡した足着きプレートとから成ることを特徴とする請求項１または２に記載の浴室用片引戸。
【請求項６】
前記足着きプレートには、前記排水溝に連なる水抜き孔が形成されていることを特徴とする請求項４または５に記載の浴室用片引戸。
【請求項７】
前記脱衣室側下枠部は、下枠部本体と、前記下枠部本体に上側から着脱自在に装着されたレール部材とから成ることを特徴とする請求項１ないし６のいずれかに記載の浴室用片引戸。
【発明の詳細な説明】
【０００１】
【発明の属する技術分野】
本発明は、例えばユニット構造の浴室において、その出入口を構成する浴室用片引戸に関するものである。
【０００２】
【従来の技術】
従来、この種の浴室用片引戸として、例えば特開平１１−１４１２３４号公報に記載のものが知られている。この浴室用片引戸は、片引戸本体とこれをを開閉自在に支持する枠体とで構成されており、枠体は、上枠と、下枠と、戸先側縦枠と、戸尻側縦枠と、縦骨と、を枠組みして構成されている。この場合、両縦枠の中間に位置する縦骨は、上端を上枠の見込み方向の浴室側半部に突き当てられ、下端を下枠の見込み方向の浴室側半部に突き当てられており、補強金具を介して、これらに支持されている。
【０００３】
【発明が解決しようとする課題】
このような従来の浴室用片引戸では、縦骨の下端が、上側から下枠の端部上面に突き当てられるため、縦骨の下端を下枠の断面形状に合致させる必要があり、縦骨の加工が煩雑になると同時にこの部分の構造が複雑になる問題があった。また、突当て部分の形状が複雑になるため、介在させたシール部材が一様に押圧されるず、シール性が悪化する問題があった。
【０００４】
本発明は、縦骨の形状および縦骨廻りの構造を単純化することができる浴室用片引戸を提供することをその目的としている。
【０００５】
【課題を解決するための手段】
本発明の浴室用片引戸は、片引戸本体を開閉自在に支持する枠体が、上枠と下枠と戸先側縦枠と戸尻側縦枠と両縦枠の中間に位置する縦骨とを備えた浴室用片引戸において、下枠は、見込み方向において、戸先側縦枠および縦骨間に配設した浴室側下枠部と、戸先側縦枠および戸尻側縦枠間に配設され片引戸本体の開閉を案内する脱衣室側下枠部とを有し、縦骨は、浴室側下枠部および脱衣室側下枠部に対し縦通しで設けられ、且つ浴室側下枠部および脱衣室側下枠部を支持していることを特徴とする。
【０００６】
この構成によれば、縦骨の下端部には、その見付け方向の側面に浴室側下枠部が突き当てられ、その見込み方向の正面に脱衣室側下枠部が当接される。したがって、縦骨の下端部を、浴室側下枠部および脱衣室側下枠部の形状に合わせて加工する必要がほとんどない。また、ねじ等を用いて、浴室側下枠部および脱衣室側下枠部を縦骨の下端部に単純な形態で、支持することができる。
【０００７】
この場合、浴室側下枠部は、その小口を縦骨の下端部側面に突き当てた状態で、縦骨側から螺合した取付ねじにより縦骨に支持され、且つ脱衣室側下枠部は、その長手方向の中間部を縦骨の下端部正面に当接した状態で、縦骨側から螺合した取付ねじにより縦骨に支持されており、浴室側下枠部の小口と縦骨の下端部側面との間、および脱衣室側下枠部の中間部と縦骨の下端部正面との間には、それぞれシール部材が介設されていることが、好ましい。
【０００８】
この構成によれば、縦骨と下枠との間に介設するシール部材を、縦骨の見付け方向の側面および見込み方向の正面、すなわち平坦な部分に添設するだけでよく、且つ１つのシール部材に一方向から圧縮力が加わるため、シール部材をその機能を適切に発揮させるべく設置することができる。また、取付ねじにより、縦骨に下枠を強固に支持させ得ると同時に、介設したシール部材を強く挟持することができるため、縦骨と下枠との間を確実にシールすることができる。なお、縦骨の側面に設けるシール部材と、正面に設けるシール部材とを単一のもので構成することも可能である。
【０００９】
これらの場合、下枠の直下には、下枠の排水が流入する排水溝が配設されていることが、好ましい。
【００１０】
この構成によれば、上記のシール部材や片引戸本体で止水した浴室の床排水を、排水溝に円滑に導くことができる。
【００１１】
この場合、浴室側下枠部は、下枠部本体と、下枠部本体および脱衣室側下枠部の上端部間に着脱自在に掛け渡した足着きプレートとから成ることが、好ましい。
【００１２】
この構成によれば、この構成によれば、足着きプレートを取り外すことにより、排水溝を簡単に清掃することができる。
【００１３】
これらの場合、浴室側下枠部は、排水溝を形成した下枠部本体と、下枠部本体および脱衣室側下枠部の上端部間に着脱自在に掛け渡した足着きプレートとから成ることが、好ましい。
【００１４】
この構成によれば、上記と同様に、シール部材などで止水した浴室の床排水を、下枠部本体に形成した排水溝に円滑に導くことができると共に、足着きプレートを取り外すことにより、排水溝を簡単に清掃することができる。
【００１５】
これらの場合、足着きプレートには、排水溝に連なる水抜き孔が形成されていることが、好ましい。
【００１６】
この構成によれば、足着きプレートを、簡易なグレーチングとして活用することができる。また、このグレーチングは、下枠に設けられるものであるため、浴室内が狭く感じるなどの違和感を生ずることがない。
【００１７】
これらの場合、脱衣室側下枠部は、下枠部本体と、下枠部本体に上側から着脱自在に装着されたレール部材とから成ることが、好ましい。
【００１８】
この構成によれば、レール部材を外すことで、下枠部本体の溝条内を簡単に清掃することができる。
【００１９】
【発明の実施の形態】
以下、添付図面を参照して、本発明の一実施形態に係る浴室用片引戸について説明する。この浴室用片引戸が設けられた浴室は、脱衣室との間に段差を無くしたバリアフリー設計のユニットバスで構成されており、図１は浴室用片引戸の縦断面図であり、図２はその横断面図である。両図に示すように、浴室用片引戸１は、引戸本体２とこれを開閉自在に支持する枠体３とから構成されている。また、引戸本体２の引込み壁部分には、枠付きの嵌殺しパネル４が配設されている。さらに、浴室Ａの防水パン５と脱衣室Ｂの床６との間には、枠体３の下枠１２の下側に位置して、排水溝７が配設されている。そして、浴室Ａの防水パン５と、枠体３の下枠１２と、脱衣室Ｂの床６とはほぼ面一に、すなわち段差が生じないように配設されている。
【００２０】
枠体３は、上枠１１、下枠１２、戸先側縦枠１３、戸尻側縦枠１４および両縦枠１３，１４の中間に位置する縦骨１５とを枠組みして構成されている。また、引戸本体２は、下部に戸車２２が組み込むと共に換気口２３を作り込んだ框体２１に、樹脂などのパネル体２４を組み込んで構成されている。引戸本体２には、浴室Ａ側および脱衣室Ｂ側にそれぞれ大型のハンドル２５が取り付けられており、バリアフリーを考慮した設計となっている。
【００２１】
図１および図３に示すように、上枠１１は、引戸本体２を開閉自在に支持する上枠本体３１と、上枠本体３１にスナップイン形式で掛け止めされ浴室Ａ側の上枠アタッチメント３２とで構成されている。上枠本体３１には、引戸本体２の開閉を案内する上レール部３３が形成されると共に、引戸本体２の浴室Ａ側に摺接する上シール部材３４が取り付けられている。この場合、上枠本体３１は、戸先側縦枠１３と戸尻側縦枠１４との間に配設され、上枠アタッチメント３２は、戸先側縦枠１３と縦骨１５との間に配設されている。
【００２２】
下枠１２は、浴室Ａ側に配設した浴室側下枠３６と、脱衣室Ｂ側に配設した脱衣室側下枠３７と、浴室側下枠３６と脱衣室側下枠３７との間に掛け渡した足着きプレート３８と、脱衣室側下枠３７に着脱自在に装着されたレールアタッチメント３９とで、構成されている。この場合、浴室側下枠３６および足着きプレート３８は、見付け方向において、戸先側縦枠１３と縦骨１５との間に配設され、脱衣室側下枠３７およびレールアタッチメント３９は、見付け方向において、戸先側縦枠１３と戸尻側縦枠１４との間に配設されている。すなわち、浴室側下枠（下枠部本体）３６と足着きプレート３８とにより、請求項にいう浴室側下枠部が構成され、脱衣室側下枠（下枠部本体）３７とレールアタッチメント（レール部材）３９とにより、請求項にいう脱衣室側下枠部が構成されている。
【００２３】
浴室側下枠３６は、本体中空部４１と、本体中空部４１の上端から逆「Ｌ」字状に延びる浴室見切り片部４２とを有し、本体中空部４１の部分で、排水溝７の浴室Ａ側の段部７ａに載置されている。脱衣室側下枠３７は、「Ｌ」字状に形成された下部の載置片部４４と、載置片部４４の上端から脱衣室Ｂ側に延びると共にレールアタッチメント３９が装着されるアタッチメント受け部４５と、アタッチメント受け部４５から更に脱衣室Ｂ側に延びる脱衣室見切り片部４６と、載置片部４４から立ち上がったプレート支持片部４７とで、一体に形成されている。また、プレート支持片部４７の内側には、引戸本体２の浴室Ａ側に摺接する下シール部材４８が取り付けられている。このように構成された脱衣室側下枠３７は、載置片部４４の部分で排水溝７の脱衣室側の段部７ｂに載置されている。
【００２４】
レールアタッチメント３９は、見込み方向の中間位置に立設した下レール部３９ａを有し、脱衣室側下枠３７のアタッチメント受け部４５に上側から着脱自在に装着されている。足着きプレート３８は、排水溝７の直上部に位置しており、一方の端部を浴室側下枠３６の本体中空部４１に、他端を脱衣室側下枠３７のプレート支持片部４７に載置するようにして、浴室側下枠３６および脱衣室側下枠３７間に掛け渡されている。足着きプレート３８の上面には、脱衣室Ｂ側寄りに位置して長手方向に延びる浅溝５０が形成されており、浅溝５０には、排水溝７に連通した多数の水抜き孔５１が形成されている。すなわち、足着きプレート３８は、排水溝７の上側にあってグレーチングの機能を有している。また、水抜き孔５１の下側には、脱衣室Ｂ側に向かって斜め下方に延びる区画片部５２ａにより、副排水溝５２が形成されており、水抜き孔５１から流下した排水は、この副排水溝５２に貯留されてから排水溝７に流入する。なお、排水溝７は樹脂などで構成され、防水パン５に支持されている。また、図示では省略したが、排水溝７には排水枝管が接続されている。
【００２５】
図２および図３に示すように、戸先側縦枠１３は、浴室Ａ側に中空部５３を有すると共に、脱衣室Ｂ側に引戸本体２の戸先を受ける戸先受け部５４を有している。戸先受け部５４には、浴室Ａ側から引戸本体２の戸先に密接する戸先シール部材５５が取り付けられている。また、戸尻側縦枠１４は、その浴室Ａ側に前記嵌殺しパネル４の保持枠を構成するパネル取付部５６を有している。
【００２６】
縦骨１５は、見込み方向のほぼ全幅に亘って設けられた本体中空部５８と、本体中空部５８の脱衣室Ｂ側からその背面側に延設したパネル取付部５９とを有している。このパネル取付部５９は、戸尻側縦枠１４のパネル取付部５６と対向した配設されている。また、本体中空部５８の脱衣室Ｂ側の端面にはシール取付部６０が突出形成され、このシール取付部６０には、浴室Ａ側から引戸本体２の戸尻に密接する戸尻シール部材６１が取り付けられている。
【００２７】
次に、図３および図４を参照して、縦骨１５と下枠１２の接合構造について詳細に説明する。この実施形態では、下枠１２に対し縦骨１５が縦通しで設けられ、下枠１２の一方の端部は縦骨１５に支持されている。すなわち、縦骨１５の下端部には、その見込み方向の側面１５ａに浴室側下枠３６が突き当てられ、見付け方向の正面１５ｂに脱衣室側下枠３７が添設されている。この場合、浴室側下枠３６はその小口が、側面側シールプレート（シール部材）６３を介在した状態で、縦骨１５の側面１５ａに突き当てられ、且つ縦骨１５側から螺合する２本の取付ねじ６４，６４により、縦骨１５にねじ止めされている。同様に、脱衣室側下枠３７はその中間部側面が、正面側シールプレート６５を介在した状態で、縦骨１５の正面１５ｂに当接され、且つ縦骨１５側から螺合する２本の取付ねじ６６，６６により、縦骨１５にねじ止めされている。なお、足着きプレート３８は、浴室側下枠３６と脱衣室側下枠３７との間に掛け渡された状態で、縦骨１５に当接している。
【００２８】
図４に示すように、浴室側下枠３６は、その本体中空部４１と浴室見切り片部４２の立上げ部分が、縦骨１５の側面１５ａに当接するようになっており、これに対応して、側面側シールプレート６３は、本体中空部４１に対応する方形部分と、立上げ部分に対応する細長方形部分とで、一体に形成されている。一方、脱衣室側下枠３７は、その長手方向の中間部において、プレート支持片部４７の上下の浴室側突起部分が切り欠かれ、プレート支持片部４７の浴室Ａ側の側面が縦骨１５の正面１５ｂに当接するようになっている。このため、プレート支持片部４７の平坦面が当接する縦骨１５の下端部は、そのシール取付部６０が切り欠かれており、この切り欠かれた部分に、方形の正面側シールプレート６５が縦骨１５の厚みいっぱいに取り付けられている。
【００２９】
以上のように本実施形態によれば、下枠１２に対し縦骨１５を縦通しとし、縦骨１５に、浴室側下枠３６を突き当て且つ脱衣室側下枠３７を当接するようにして、支持しているため、下枠１２の上面に載置する従来の縦骨のように、縦骨１５の下端を下枠１２の断面形状に合わせて加工する必要がない。このため、縦骨１５の下端部を単純な形状にすることができると共に、下枠１２を縦骨１５で適切に支持することができる。
【００３０】
また、縦骨１５に、浴室側下枠３６を突き当て且つ脱衣室側下枠３７を当接する構造であるため、縦骨１５と下枠１２との間の接合部分の形状を単純化することができ、この部分に介設する側面側シールプレート６３および正面側シールプレート６５を単純な形状にすることができる。このため、各シールプレート６３，６５を取付ねじ６４，６６の螺合により、単純に挟持する構造にすることができ、この部分のシール性を向上させることができる。
【００３１】
次に、図５ないし図７を参照して、第２実施形態について説明する。この実施形態では、下枠１２が、排水溝７を一体に形成した下枠本体７１と、下枠本体７１に上側から着脱自在に装着されたレールアタッチメント７２と、下枠本体７１の排水溝７を着脱自在に閉蓋した足着きプレート７３とで、構成されている。この場合には、下枠本体７１のプレート支持片部（後述する）８２を除く浴室側半部７１ａおよび足着きプレート７３が、見付け方向において、戸先側縦枠１３と縦骨１５との間に配設され、下枠本体７１のプレート支持片部８２を含む脱衣室側半部７１ｂおよびレールアタッチメント７２が、見付け方向において、戸先側縦枠１３と戸尻側縦枠１４との間に配設されている。
【００３２】
すなわち、排水溝７を形成した下枠本体７１の浴室側半部（下枠部本体）７１ａと足着きプレート７３とにより、請求項にいう浴室側下枠部が構成され、下枠本体７１の脱衣室側半部（下枠部本体）７１ｂとレールアタッチメント（レール部材）７２とにより、請求項にいう脱衣室側下枠部が構成されている。そして、下枠１２は、浴室Ａ側を防水パン５の端部に延設した溝状支持部５ａに支持され、脱衣室Ｂ側を大引き等に着座させたアジャストボルト７４に支持されている。なお、図５中の符号７５は、排水溝７の排水を排水トラップに導く排水枝管である。
【００３３】
下枠本体７１は、段部付きの排水溝７を形成した排水溝形成部８１と、排水溝７の脱衣室Ｂ側の壁面を構成するプレート支持片部８２と、プレート支持片部８２から脱衣室Ｂ側に延びるアタッチメント受け部８３と、アタッチメント受け部８３から更に立ち上がって脱衣室Ｂ側に延びる脱衣室見切り片部８４と、プレート支持片部８２およぴアタッチメント受け部８３に形成した一対の脚片から成るアジャストボルト取付部８５とで、一体に形成されている。そして、上記の実施形態と同様に、プレート支持片部８２の上部内側には、下シール部材４８が取り付けられている。なお、レールアタッチメント７２は、上記の実施形態のものと同様の形態を有しているため、ここでは、説明を省略する。
【００３４】
足着きプレート７３は、排水溝７の直上部に位置しており、一方の端部を下枠本体７１の浴室Ａ側の立上げ部分に、他端をプレート支持片部８２に載置するようにして、排水溝７を跨ぐように掛け渡されている。足着きプレート７３の上面には、上記実施形態と同様に、浅溝５０および多数の水抜き孔５１が形成されている。すなわち、足着きプレート７３は、排水溝７の上側にあってグレーチングの機能を有している。また、水抜き孔５１の下側に位置して、副排水槽８７が配設されている。副排水槽８７は、底板８７ａが下方に回動自在に構成され、内部を清掃できるようになっている。この副排水槽８７により、浴室Ａの床排水を時間をかけて排水溝７に流下させるようにしている。
【００３５】
次に、図６および図７を参照して、第２実施形態における縦骨１５と下枠１２の接合構造について、詳細に説明する。上述したように、この実施形態では、下枠本体７１の浴室側半部７１ａが縦骨１５の下端部の側面１５ａに突き当てられ、下枠本体７１の脱衣室側半部７１ｂが縦骨１５の下端部の正面１５ｂに当接され、この状態で下枠本体７１の長手方向の中間部分が、縦骨１５に支持されている。すなわち、下枠本体７１の浴室側半部７１ａは、見付け方向において、中間位置から先方が切り欠かれており、その小口が、側面側シールプレート９１を介在した状態で、縦骨１５の側面に突き当てられ、且つ縦骨１５側から螺合する２本の取付ねじ９２，９２により、縦骨１５にねじ止めされている。
【００３６】
同様に、下枠本体７１の脱衣室側半部７１ｂはその中間部側面が、正面側シールプレート９３を介在した状態で、縦骨１５の正面１５ｂに当接され、且つ縦骨１５側から螺合する２本の取付ねじ９４，９４により、縦骨１５にねじ止めされている。なおこの場合も、足着きプレート７３は、下枠本体７１の排水溝７の上側に掛け渡された状態で、縦骨１５に当接している。
【００３７】
図７に示すように、下枠本体７１の浴室側半部７１ａは、全体が縦骨１５の側面１５ａに当接するようになっており、これに対応して、側面側シールプレート９１は、所定の幅を有して逆「Ｌ」字状に形成されている。一方、下枠本体７１の脱衣室側半部７１ｂは、その長手方向の中間部において、プレート支持片部８２の浴室側突起部分が切り欠かれ、プレート支持片部８２の浴室Ａ側の側面が縦骨１５の正面１５ｂに当接するようになっている。このため、プレート支持片部８２の平坦面が当接する縦骨１５の下端部は、上記の実施形態と同様に、方形の正面側シールプレート９３が縦骨の厚みいっぱいに取り付けられている。そして、この実施形態では、側面側シールプレート９１と正面側シールプレート９３とが一体に形成され、折り曲げた状態で、縦骨１５の下端部に取り付けられている。
【００３８】
以上のように第２実施形態によれば、第１実施形態と同様に、下枠１２に対し縦骨１５を縦通しとし、縦骨１５に、下枠本体７１の浴室側半部７１ａを突き当て且つ脱衣室側半部７１ｂを当接するようにして、支持しているため、縦骨１５の下端を下枠１２の断面形状に合わせて加工する必要がない。このため、縦骨１５の下端部を単純な形状にすることができると共に、下枠１２を縦骨１５で適切に支持することができる。また、縦骨１５に、縦骨１５と下枠１２との間の接合部分の形状を単純化することができ、この部分に介設する側面側シールプレート９１および正面側シールプレート９３を単純な形状にすることができる。このため、各シールプレート６３，６５を、単純に挟持する構造にすることができ、この部分のシール性を向上させることができる。
【００３９】
【発明の効果】
以上のように本発明の浴室用片引戸によれば、縦骨を下枠に対し縦通しとし、下枠を縦骨の下端部に支持するようにしているため、縦骨の下端部を、浴室側下枠部および脱衣室側下枠部の形状に合わせて加工する必要がほとんどない。したがって、縦骨の形状および縦骨廻りの構造を単純化することができる。
【図面の簡単な説明】
【図１】本発明の第１実施形態に係る浴室用片引き戸の縦断面図である。
【図２】第１実施形態に係る浴室用片引き戸の横断面図である。
【図３】第１実施形態に係る浴室用片引き戸の縦骨廻りの斜視図である。
【図４】第１実施形態に係る浴室用片引き戸の縦骨廻りの分解斜視図である。
【図５】本発明の第２実施形態に係る浴室用片引き戸の縦断面図である。
【図６】第２実施形態に係る浴室用片引き戸の縦骨廻りの斜視図である。
【図７】第２実施形態に係る浴室用片引き戸の縦骨廻りの分解斜視図である。
【符号の説明】
１  浴室用片引戸、２  引戸本体、３  枠体、７  排水溝、１１  上枠、１２  下枠、１３  戸先側縦枠、１４  戸尻側縦枠、１５  縦骨、１５ａ  側面、１５ｂ  正面、３６  浴室側下枠、３７  脱衣室側下枠、３８  足着きプレート、３９  レールアタッチメント、５１  水抜き孔、６３  側面側シールプレート、６４  取付ねじ、６５  正面側シールプレート、６６  取付ねじ、７１  下枠本体、７１ａ  浴室側半部、７１ｂ  脱衣室側半部、７２  レールアタッチメント、７３  足着きプレート、９１  側面側シールプレート、９２  取付ねじ、９３  正面側シールプレート、９４  取付ねじ、Ａ  浴室、Ｂ  脱衣室
【図１】
0003554688.tif 000002
【図２】
0003554688.tif 000003
【図３】
0003554688.tif 000004
【図４】
0003554688.tif 000005
【図５】
0003554688.tif 000006
【図６】
0003554688.tif 000007
【図７】
0003554688.tif 000008